(57)【特許請求の範囲】
【請求項１】
スクリーン装置の周枠が、少なくとも一対の側枠とそれらの上端間に配設される上枠とを備え、上記側枠の一方が、スクリーンの一端を巻き取る巻取軸を収容してなる巻取りボックスを備えたものとして構成され、上記側枠の他方が、上記スクリーンの他端に取り付けた可動框がスクリーンの展張時に当接する受け枠として構成され、
巻取軸に巻かれる上記スクリーンの両側縁に沿って多数の係合子が取り付けられ、スクリーンの上端側の該係合子を上記上枠内のガイドレールに係合させると共に、スクリーンの下端側の係合子を上記一対の側枠の下端間に配設されるガイドレールに摺動自在に係合させて、上記スクリーンの両側縁をガイドさせるスクリーン装置において、
上記上枠内のレール支持枠における受け枠側の先端部に、先端が受け枠に設けたラッチ受けに係脱自在に嵌入するラッチが伸縮自在に設けられ、
上記一対の側枠の下端間に配設されるガイドレールは、上枠内のレール支持枠に設けたラッチの伸縮に応じて長さ調整できる調整機構を有するものとし、
上記上枠が、該上枠内のレール支持枠の先端部に設けたラッチの伸縮に応じて上枠の全長を調整できる調整機構を備えている、
ことを特徴とするスクリーン装置。
【請求項２】
上記上枠内のガイドレールが、スクリーンの上枠側端縁に沿って取り付けた係合子を摺動自在に係合させてガイドするところの、摺動溝口縁にスリットを備えたインナーレールによって構成されている、
ことを特徴とする請求項１に記載のスクリーン装置。
【請求項３】
上記レール支持枠の先端部に設けた伸縮自在のラッチが、レール支持枠内のバネにより伸長方向に付勢したものとして構成されている、
ことを特徴とする請求項１又は２に記載のスクリーン装置。
【請求項４】
スクリーンの下端をガイドする上記ガイドレールが、多数のガイド駒を上に凹に湾曲可能に連結してなるスクリーンガイドによって構成され、
該スクリーンガイドの各ガイド駒は、その上面に、上記スクリーンの下端の係合子を係合させるスリットを、一連のスリット列を形成するように配列させて設けることにより、該係合子をスリット列に沿って摺動自在に係合させ得るものとし、
該スクリーンガイドは、その一端を、上記巻取りボックスのスクリーン導出口の下端に対して、導出するスクリーンの下端の係合子が上記ガイド駒のスリットに係合する位置に取り付け、その他端を、可動框内に設けたガイド収容筒に、可動框の移動に伴ってその下端から屈曲して内部に導出入されるように挿通し、その導出長さをスクリーン張設範囲に対応させている、
ことを特徴とする請求項１〜３のいずれかに記載のスクリーン装置。
【請求項５】
上記多数のガイド駒を連結したスクリーンガイドにおけるガイド収容筒内への挿入端に連結したワイヤーを、上記ガイド収容筒の上端から前記ラッチの先端側に導き、バネの付勢力で伸長位置にあるラッチにその先端を連結して、可動框を平行移動させると共に、上記スクリーンガイドの長さ調整機構として機能させる、
ことを特徴とする請求項４に記載のスクリーン装置。
【請求項６】
上記巻取りボックスが、それを建物開口部に取り付ける取付部材に対して分離可能に取り付けられ、
上記上枠内において上記ガイドレールを支持するレール支持枠が、巻取軸へのスクリーンの巻取りにより可動框が巻取りボックスに当接した状態において、該可動框に沿う方向に折曲して垂下可能になるように、上記巻取りボックスの上部に折曲可能に連結され、
それにより、上記周枠の一部を構成する巻取りボックス、それに当接する可動框、それらに沿う方向に折曲した上枠内のレール支持枠、並びにそれらと一体化されている部材を含むスクリーン組立体を、上記取付部材に対して着脱可能に形成している、
ことを特徴とする請求項１〜５のいずれかに記載のスクリーン装置。
【請求項７】
上記上枠の長さ調整機構により全長を調整された上枠を、スクリーン装置の設置空間の高さに応じて上下にスライド調整可能に形成している、
ことを特徴とする請求項１〜６のいずれかに記載のスクリーン装置。
【請求項８】
スクリーン装置の周枠が、少なくとも一対の側枠とそれらの上端間に配設される上枠とを備え、上記一対の側枠が、それぞれ、スクリーンの一端を巻き取る巻取軸を収容してなる巻取りボックスを備えたものとして構成され、
上記両巻取軸に巻かれる各スクリーンの両側縁に沿って多数の係合子が取り付けられ、上記上枠の中間位置よりも一方の側枠側における上枠内に設けたガイドレールに、該一方の側枠側のスクリーンの上端側の係合子を摺動自在に係合させると共に、上記中間位置よりも他方の側枠側における上枠内に設けたガイドレールに、該他方の側枠側のスクリーンの上端側の係合子を摺動自在に係合させ、更に、両スクリーンの下端側の係合子についても、上記一方及び他方の側枠側の各下端側に配設されるガイドレールに係合させて、上記両スクリーンの上下側端をガイドさせるようにした両引きのスクリーン装置において、
上記上枠における上記中間位置の両側のレール支持枠の該中間位置側の先端部にそれぞれラッチが伸縮自在に設けられ、上記上枠内の中間位置に、両ガイドレール側に向けて両レール支持枠のラッチを係脱自在に嵌入させる一対のラッチ受けが配設されたラッチ受け支持部材が設けられ、
上記一対の側枠の下端とそれらの間の中間位置との間に配設されるガイドレールは、上枠内のレール支持枠に設けたラッチの伸縮に応じて長さ調整できる調整機構を有するものとし、
上記上枠が、該上枠内のレール支持枠の先端部に設けたラッチの伸縮に応じて上枠の全長を調整できる調整機構を備えている、
ことを特徴とする両引きのスクリーン装置。
【請求項９】
上記一対の巻取りボックスが、それを建物開口部に取り付ける取付部材に対して分離可能に取り付けられ、
上記上枠内において一対のガイドレールをそれぞれ支持するレール支持枠が、巻取軸へのスクリーンの巻取りにより可動框が巻取りボックスに当接した状態において、該可動框に沿う方向に折曲して垂下可能になるように、上記巻取りボックスの上部にそれぞれ折曲可能に連結され、
それにより、上記周枠の一部を構成する巻取りボックス、それに当接する可動框、それらに沿う方向に折曲した上枠内のレール支持枠、並びにそれらと一体化されている部材を含むスクリーン組立体を、上記取付部材に対して着脱可能に形成している、
ことを特徴とする請求項８に記載のスクリーン装置。
【請求項１０】
上記上枠の長さ調整機構により全長を調整された上枠に対し、上記ラッチ受け支持部材を上下位置調整可能に設け、該上枠を、スクリーン装置の設置空間の高さに応じて上下に調整可能に形成している、
ことを特徴とする請求項８又は９に記載のスクリーン装置。
【発明の詳細な説明】
【技術分野】
【０００１】
本発明は、スクリーンを巻取軸への巻取りによって収納可能にしたスクリーン装置の周枠の外形寸法を、それを設置する建物開口部等の設置空間の大きさに応じて調整可能にした当該スクリーン装置に関するものである。
【背景技術】
【０００２】
従来から、アコーディオンタイプのスクリーンを用いたスクリーン装置では、例えば、特許文献１に開示されているように、建物開口部のスクリーン設置枠に対し、該スクリーン５及び可動框６を、それらにワイヤーを挿通することにより構成される平行移動機構と共にユニット化したスクリーンユニット３として、簡易に着脱やスクリーン装置の周枠の寸法調整を可能にしたものが知られている。
【０００３】
しかしながら、スクリーンを巻取軸への巻取りによって収納可能にした横引きスクリーン装置においては、巻取軸を収容した巻取りボックスの存在や、巻取軸に巻かれるスクリーンの両側縁に沿って取り付けた多数の係合子を、上枠内のガイドレールや一対の側枠の下端間に配設されるガイドレールに摺動自在に係合させてガイドする機構を備えることから、それらによって構成されるスクリーン組立体は、上記アコーディオンタイプのスクリーン装置と同様な構成で簡易にスクリーン装置の周枠に着脱したり、スクリーン装置の周枠の外形寸法を、それを設置する建物開口部等の設置空間の大きさに応じて調整可能にすることには多大の困難性がある。そのため、巻取り式の横引きスクリーン装置においては、建物開口部等の設置空間にスクリーン装置を設置するに当たって、スクリーン装置の周枠の外周と建物開口部との間に若干の隙間が生じるときには、その隙間を何らかの部材で隠蔽することも必要になる。
【先行技術文献】
【特許文献】
【０００４】
【特許文献１】特開２０１１−１２７３９０号公報
【発明の概要】
【発明が解決しようとする課題】
【０００５】
本発明の技術的課題は、スクリーンを巻取りによって収納するタイプの横引きスクリーン装置において、スクリーン装置の周枠の外形寸法を設置空間の大きさに応じて調整可能にしたスクリーン装置を提供することにある。
また、本発明の他の技術的課題は、上記スクリーン装置の周枠の外形寸法を設置空間の大きさに応じて調整するための構成の一部を利用して、スクリーン装置の周枠内に組み付けるスクリーン組立体を簡易に該スクリーン装置の周枠に対して着脱可能にすることにある。
【課題を解決するための手段】
【０００６】
上記課題を解決するため、本発明によれば、スクリーン装置の周枠が、少なくとも一対の側枠とそれらの上端間に配設される上枠とを備え、上記側枠の一方が、スクリーンの一端を巻き取る巻取軸を収容してなる巻取りボックスを備えたものとして構成され、上記側枠の他方が、上記スクリーンの他端に取り付けた可動框がスクリーンの展張時に当接する受け枠として構成され、巻取軸に巻かれる上記スクリーンの両側縁に沿って多数の係合子が取り付けられ、スクリーンの上端側の該係合子を上記上枠内のガイドレールに係合させると共に、スクリーンの下端側の係合子を上記一対の側枠の下端間に配設されるガイドレールに摺動自在に係合させて、上記スクリーンの両側縁をガイドさせるスクリーン装置において、上記上枠内のレール支持枠における受け枠側の先端部に、先端が受け枠に設けたラッチ受けに係脱自在に嵌入するラッチが伸縮自在に設けられ、上記一対の側枠の下端間に配設されるガイドレールは、上枠内のレール支持枠に設けたラッチの伸縮に応じて長さ調整できる調整機構を有するものとし、上記上枠が、該上枠内のレール支持枠の先端部に設けたラッチの伸縮に応じて上枠の全長を調整できる調整機構を備えていることを特徴とするスクリーン装置が提供される。
【０００７】
上記構成を備えた本発明のスクリーン装置によれば、以下に詳述するところから明らかなように、スクリーンを巻取軸への巻取りによって収納するタイプの横引きスクリーン装置において、ラッチの最大伸長範囲内においてスクリーン装置の周枠の大きさを調整することができ、スクリーン装置の周枠と該スクリーン装置の設置空間である建物開口部等との間に隙間が生じるのを抑制することができる。また、上記スクリーン装置の周枠の外形寸法を設置空間の大きさに応じて調整する構成の一部を利用して、スクリーン装置の周枠内に組み付けるスクリーン組立体を、簡易に該スクリーン装置の周枠に対して着脱することが可能になる。
【０００８】
本発明に係る上記スクリーン装置の好ましい実施形態においては、上記上枠内のガイドレールが、スクリーンの上枠側端縁に沿って取り付けた係合子を摺動自在に係合させてガイドするところの、摺動溝口縁にスリットを備えたインナーレールによって構成される。
また、上記レール支持枠の先端部に設けた伸縮自在のラッチが、レール支持枠内のバネにより伸長方向に付勢したものとして構成される。
【０００９】
本発明に係る上記スクリーン装置の他の好ましい実施形態においては、スクリーンの下端をガイドする上記ガイドレールが、多数のガイド駒を上に凹に湾曲可能に連結してなるスクリーンガイドによって構成され、該スクリーンガイドの各ガイド駒は、その上面に、上記スクリーンの下端の係合子を係合させるスリットを、一連のスリット列を形成するように配列させて設けることにより、該係合子をスリット列に沿って摺動自在に係合させ得るものとし、該スクリーンガイドは、その一端を、上記巻取りボックスのスクリーン導出口の下端に対して、導出するスクリーンの下端の係合子が上記ガイド駒のスリットに係合する位置に取り付け、その他端を、可動框内に設けたガイド収容筒に、可動框の移動に伴ってその下端から屈曲して内部に導出入されるように挿通し、その導出長さをスクリーン張設範囲に対応させたものとして構成される。
【００１０】
本発明に係る上記スクリーン装置の他の好ましい実施形態においては、上記多数のガイド駒を連結したスクリーンガイドにおけるガイド収容筒内への挿入端に連結したワイヤーを、上記ガイド収容筒の上端から前記ラッチの先端側に導き、バネの付勢力で伸長位置にあるラッチにその先端を連結して、可動框を平行移動させると共に、上記スクリーンガイドの長さ調整機構として機能させるものとして構成することができる。
【００１１】
本発明に係るスクリーン装置の他の好ましい実施形態においては、上記巻取りボックスが、それを建物開口部に取り付ける取付部材に対して分離可能に取り付けられ、上記上枠内において上記ガイドレールを支持するレール支持枠が、巻取軸へのスクリーンの巻取りにより可動框が巻取りボックスに当接した状態において、該可動框に沿う方向に折曲して垂下可能になるように、上記巻取りボックスの上部に折曲可能に連結され、それにより、上記周枠の一部を構成する巻取りボックス、それに当接する可動框、それらに沿う方向に折曲した上枠内のレール支持枠、並びにそれらと一体化されている部材を含むスクリーン組立体を、上記取付部材に対して着脱可能に形成される。
【００１２】
本発明に係るスクリーン装置の他の好ましい実施形態においては、上記上枠の長さ調整機構により全長を調整された上枠を、スクリーン装置の設置空間の高さに応じて上下にスライド調整可能に形成される。
【００１３】
また、前記課題を解決するため、本発明によれば、スクリーン装置の周枠が、少なくとも一対の側枠とそれらの上端間に配設される上枠とを備え、上記一対の側枠が、それぞれ、スクリーンの一端を巻き取る巻取軸を収容してなる巻取りボックスを備えたものとして構成され、上記両巻取軸に巻かれる各スクリーンの両側縁に沿って多数の係合子が取り付けられ、上記上枠の中間位置よりも一方の側枠側における上枠内に設けたガイドレールに、該一方の側枠側のスクリーンの上端側の係合子を摺動自在に係合させると共に、上記中間位置よりも他方の側枠側における上枠内に設けたガイドレールに、該他方の側枠側のスクリーンの上端側の係合子を摺動自在に係合させ、更に、両スクリーンの下端側の係合子についても、上記一方及び他方の側枠側の各下端側に配設されるガイドレールに係合させて、上記両スクリーンの上下側端をガイドさせるようにした両引きのスクリーン装置において、上記上枠における上記中間位置の両側のガイドレールの該中間位置側の先端部にそれぞれラッチが伸縮自在に設けられ、上記上枠内の中間位置に、両ガイドレール側に向けて両レール支持枠のラッチを係脱自在に嵌入させる一対のラッチ受けが配設されたラッチ受け支持部材が設けられ、上記一対の側枠の下端とそれらの間の中間位置との間に配設されるガイドレールは、上枠内のレール支持枠に設けたラッチの伸縮に応じて長さ調整できる調整機構を有するものとし、上記上枠が、該上枠内のレール支持枠の先端部に設けたラッチの伸縮に応じて上枠の全長を調整できる調整機構を備えていることを特徴とする両引きのスクリーン装置が提供される。
【００１４】
本発明に係る上記スクリーン装置の好ましい実施形態においては、上記一対の巻取りボックスが、それを建物開口部に取り付ける取付部材に対して分離可能に取り付けられ、上記上枠内において一対のガイドレールをそれぞれ支持するレール支持枠が、巻取軸へのスクリーンの巻取りにより可動框が巻取りボックスに当接した状態において、該可動框に沿う方向に折曲して垂下可能になるように、上記巻取りボックスの上部にそれぞれ折曲可能に連結され、それにより、上記周枠の一部を構成する巻取りボックス、それに当接する可動框、それらに沿う方向に折曲した上枠内のレール支持枠、並びにそれらと一体化されている部材を含むスクリーン組立体が、上記取付部材に対して着脱可能に形成される。
【００１５】
また、本発明に係るスクリーン装置の他の好ましい実施形態においては、上記上枠の長さ調整機構により全長を調整された上枠に対し、上記ラッチ受け支持部材を上下位置調整可能に設け、該上枠を、スクリーン装置の設置空間の高さに応じて上下に調整可能に形成される。
【発明の効果】
【００１６】
以上に詳述した本発明のスクリーン装置によれば、スクリーンを巻取りによって収納するタイプの横引きスクリーン装置において、スクリーン装置の周枠の外形寸法を設置空間の大きさに応じて調整可能にしたスクリーン装置を提供することができ、また、上記スクリーン装置の周枠の外形寸法を設置空間の大きさに応じて調整するための構成の一部を利用して、スクリーン装置の周枠内に組み付けるスクリーン組立体を簡易に該スクリーン装置の周枠に対して着脱可能にすることができる。
【図面の簡単な説明】
【００１７】
【図１】本発明に係るスクリーン装置の第１実施例の構成の要部を縦断して示す正面図である。
【図２】上記第１実施例の一部を断面によって示す側面図である。
【図３】上記第１実施例の正面図である。
【図４】スクリーンの下部をガイドするガイドレールの構成を示す要部拡大斜視図である。
【図５】上記第１実施例におけるラッチとラッチ受けの係合関係を示す一部破断背面図である。
【図６】上記ラッチの具体的構成を示す上枠内のレール支持枠先端の要部拡大平面図図である。
【図７】上記ラッチの伸縮の態様を示す動作説明図である。
【図８】上記第１実施例におけるラッチのラッチ受けに対する係合を外した状態の正面図である。
【図９】上記第１実施例におけるラッチを外したスクリーン組立体をスクリーン装置の周枠から取り外す態様について説明するための正面図である。
【図１０】本発明に係るスクリーン装置の第２実施例の構成の要部を縦断して示す正面図である。
【図１１】上記第２実施例の平面図である。
【図１２】上記第２実施例における上枠の中間位置に設けるラッチ受け支持部材の斜視図である。
【図１３】上記ラッチ受け支持部材が、上枠の中間位置においてラッチ受けが図１２と同じ中間高さに保持されている状態を示すスクリーン装置の要部拡大正面図である。
【図１４】上記ラッチ受け支持部材において、ラッチ受けが上端位置に保持されている状態を示す正面図である。
【図１５】図１４の状態におけるスクリーン装置の要部拡大正面図である。
【発明を実施するための形態】
【００１８】
図１〜図９は、本発明に係るスクリーン装置の第１実施例であるところの、スクリーン１０を巻取りボックス６内の巻取軸６ａへ巻取ることにより収納するタイプの、横引きでしかも片引きのスクリーン装置の構成例を示し、特に、該横引きの巻取り式のスクリーン装置において、該スクリーン装置の周枠１の外形寸法を、建物開口部等のスクリーン装置の設置空間の大きさに応じて調整可能にし、また、そのための構成を利用して、スクリーン装置の周枠１内に組み付けられる後述のスクリーン組立体１４（図９参照）を簡易に該周枠１に対して着脱可能にした構成を示している。
【００１９】
上記スクリーン装置の構成について具体的に説明すると、まず、図１に示すように、上記スクリーン装置の周枠１は、少なくとも、一対の側枠３，４と、それらの上端間に配設される上枠５とを備えている。上記側枠の一方である側枠３は、周枠内に張設すべきスクリーン１０の一端を巻取りバネ６ｂの付勢力で巻き取る巻取軸６ａを収容した巻取りボックス６と、それを建物開口部等に取り付ける取付部材７とを、図９に示すような掛け金具７ａとラッチ７ｂとで分離可能に取り付けたものである。また、他方側の側枠４は、可動框８によるスクリーン１０の展張時に、巻取軸６ａに巻いたスクリーン１０の他端に取り付けている該可動框８が当接保持される受け枠として構成されている。
【００２０】
一方、巻取軸６ａに巻かれる上記スクリーン１０には、図１、図２及び図４からわかるように、その両側縁に沿って多数の係合子１０ａ，１０ｂが取り付けられ、該スクリーン１０の上端縁側の該係合子１０ａは上記上枠５内のガイドレール１１に係合させている。上枠５内において多数の係合子１０ａを摺動自在に係合させるガイドレール１１としては、図１及び図２に示すように、上記係合子１０ａを摺動溝１１ａの口縁のスリット１１ｂに摺動自在に係合させてガイドできるようにした摺動性のよい合成樹脂製のインナーレールを用い、上記上枠５内においては、それをレール支持枠１２によって支持させている。
【００２１】
また、上記レール支持枠１２は、巻取軸６ａへのスクリーン１０の巻取りにより可動框８が巻取りボックス６に当接した図５に示す状態において、図８に示すように、該可動框８に沿う方向に折曲して垂下可能になるように、上記巻取りボックス６の上部に折曲可能に連結されている。それにより、上記周枠の一部を構成する巻取りボックス６、それに当接する可動框８、それらに沿う方向に折曲した上枠５内のレール支持枠１２、並びにそれらと一体化されているところの、下記下部のガイドレール１３を構成する部材を含むスクリーン組立体１４を、前記取付部材７から離脱可能な独立の構成要素としている。
【００２２】
更に、上記上枠５内のガイドレール１１を支持するレール支持枠１２の受け枠（側枠４）側の先端部に、先端が受け枠に設けたラッチ受け１８に係脱自在に嵌入するラッチ１７が伸縮自在に設けられている。該ラッチ１７は、任意の伸縮位置でネジ等により固定可能にしておくこともできるが、図６に示すように、レール支持枠１２内のバネ１９により伸長方向に付勢したものとし、引き金２０の操作により該バネ１９の付勢力に抗してラッチ１７を引き戻し、ラッチ受け１８から離脱可能に形成している。
【００２３】
図７の（ａ）は上記ラッチ１７を伸長できる最大限の長さでラッチ受け１８に嵌入させた状態を、同図（ｂ）は該ラッチ１７を最小限の長さでラッチ受け１８に嵌入させた状態を示している。両図におけるラッチ１７の突出量の差に相当する長さの範囲内において、建物開口部の横幅よりも小さいスクリーン装置の周枠１の横幅を若干大きく調整し、スクリーン装置をその建物開口部に適合させることができる。なお、ラッチ受け１８の下方の側枠内面４ａを硬質の滑り面にしておけば、上記レール支持枠１２を図８の状態から水平位置に戻すだけで、バネ１９の作用によりラッチ１７をラッチ受け１８に係合させることができる。
【００２４】
上記スクリーン装置の周枠１は、必ずしも上記上枠５に対向する下枠を必要としないものであるが、スクリーン１０の下端側の係合子１０ｂを上記一対の側枠３，４の下端間に配設するガイドレールに摺動自在に係合させることが望まれ、しかしながら、下枠を躓かない高さにしてバリアフリー化を図ることも望まれるため、ここでは、側枠３，４の下端間に配設するガイドレール１３として、スクリーン１０の張設時にのみ下枠の設置部位に導出され、該スクリーン１０の巻取り時には可動框８内に収納されるバリアフリータイプのガイドレール（スクリーンガイド）１３を用い、スクリーン１０の下端縁の係合子１０ｂを摺動自在にガイドさせるようにしている。
【００２５】
その構成について具体的に説明すると、該ガイドレール１３を構成するスクリーンガイドは、図１及び図４に示すように、多数のガイド駒１５をそれらの上部に挿通した可撓性のワイヤー１６で上に凹に湾曲可能に連結することによって構成したもので、該ガイドレール１３の各ガイド駒１５の上面中央には、上記スクリーン１０の下端の係合子１０ｂを係合させるスリット１５ａを、一連のスリット列を形成するように配列させて設けることにより、該係合子１０ｂをスリット列に沿って摺動自在に係合させ得るものとして構成している。
【００２６】
そして、該ガイドレール１３を構成するスクリーンガイドは、その一端を図３における上記巻取りボックス６のスクリーン導出口６ｃの下端に対して、導出するスクリーン１０の下端の係合子１０ｂが上記ガイド駒１５のスリット１５ａに係合する位置に合わせて取り付けると共に、他端を図３及び図４の可動框８内に設けたガイド収容筒８ａに、該可動框８の移動に伴ってその下端から屈曲して内部に導出入されるように挿通している。
上記ガイド駒１５の連結により構成したスクリーンガイド及び可動框８の下端を本来の走行路に沿って安定的に移動させるため、周枠１の下枠を設置する位置には、該スクリーンガイドを案内する走行ガイド１３ａを設けているが、この走行ガイドは、上記バリアフリーの障害になるような高さを持つものではない。
【００２７】
また、スクリーン１０の開閉操作に際して可動框８を平行移動させるため、図１に示すように、上記多数のガイド駒１５を連結したスクリーンガイドにおけるガイド収容筒８ａ内への挿入端に平行移動用ワイヤー２１を連結し、該ワイヤー２１の先端を上記ガイド収容筒８ａの上端から前記ラッチ１７の先端側に導き、バネ１９の付勢力で伸長位置にあるラッチ１７に連結して、ガイド収容筒８ａ内に沿うスクリーンガイドの移動を円滑にしている。この平行移動用ワイヤー２１を用いて可動框８を平行移動させる構成は、上枠５内のレール支持枠１２に設けたラッチ１７の伸縮に応じて、上記スクリーンガイド１３の長さ調整をする調整機構としても機能するものである。
【００２８】
なお、上記上枠５に対向するバリアフリー化した下枠を必要とせず、一般的な下枠を設ける場合には、当該下枠として本発明に係るスクリーン装置の上枠に設けているようなガイドレール１１を、前記上枠５に設けたものに対して対称状をなすように設ければよい。この場合には、スクリーン装置の周枠１の外形寸法を、それを設置する建物開口部等の設置空間の大きさに応じて調整可能にするため、スクリーン１０の下端側の係合子１０ｂを上記一対の側枠３，４の下端間に配設するガイドレール１３（インナーレール）に摺動自在に係合させ、上記一対の側枠３，４の下端間に配設されるガイドレール１３は、上枠内のレール支持枠１２に設けたラッチ１７と同様に、その伸縮により長さ調整できるものとする必要がある。
【００２９】
そして、前述のように、上記巻取りボックス６が、それを建物開口部等に取り付ける取付部材７に対して、掛け金具７ａと該取付部材７に上下にスライドするラッチ７ｂとにより分離可能に取り付けられているため、該巻取りボックス６に当接する可動框８、それらに沿う方向に折曲した上枠５内のガイドレール１１を含むレール支持枠１２、並びにそれらと一体化されている上記ガイドレール１３のような部材を含むところのスクリーン組立体１４を、上記スクリーン装置の周枠１内において独立した構成要素とすることができるので、それをスクリーン装置の周枠１に対して容易に着脱することが可能になり、スクリーン装置の組み立てやメンテナンスを容易に行うことができる。
【００３０】
また、上記上枠５内のガイドレール１１を支持するレール支持枠１２の受け枠側の先端部に伸縮自在のラッチ１７を設けているため、該ラッチ１７の伸縮に応じて上枠５の長さを伸縮させる必要があり、そのため、上枠５の側枠３及び４側の端部５ａを本体部に対してスライドにより伸縮可能に形成した長さの調整機構を備えているが、スクリーン装置の設置空間の高さに応じて周枠１の上下方向寸法も調整可能にする必要があり、そのため、上枠５の全長を上記長さの調整した上で、側枠３，４とは分離された上枠５を昇降させて、その高さを調整可能に形成している。
【００３１】
なお、上記上枠５自体の長さや、側枠３，４上における上枠５の高さを上記調整機構で調整した場合に、それらの側枠や上枠をその調整状態に固定するネジ等の固定金具を適宜設けることができるが、図示の実施例においては、スクリーン装置を設置する建物開口部にそれらの側枠や上枠を取付ネジ２３で固定することにより、周枠１に所要の形態を保持させるように形成している。
【００３２】
図１０〜図１５は、本発明に係るスクリーン装置の第２実施例である両引きスクリーン装置の構成を示している。
この両引きスクリーン装置は、基本的には、上記第１実施例のスクリーン装置の一対における受け枠を省略して、それらのスクリーン装置の可動框３８を中央で召し合わせる構成を備えるものであって、両引きスクリーン装置の周枠３１としては、少なくとも、一対の側枠３３，３４と、それらの上端間に配設される上枠３５とを備えるものである。
【００３３】
図１０における上記一対の側枠３３，３４は、図１１からわかるように、上枠３５の中間位置の両側に張設する各スクリーン１０の一端を巻取りバネの付勢力で巻き取る巻取軸３６ａを収容してなる巻取りボックス３６を備え、いずれの巻取りボックス３６も、前記第１実施例のスクリーン装置と同様に、建物開口部に取り付ける取付部材７に対して分離可能に取り付けたものとして構成している。
また、上記上枠３５は、後述するラッチ受け支持部材４８を設ける中間位置で２分しているが、単一のものであっても差し支えない。なお、上記中間位置とは対設するスクリーン装置が２分される位置ではあるが、左右のスクリーン長を等分する位置であるとは限らない。
【００３４】
上記両巻取軸３６ａに巻かれる各スクリーン１０は、図１及び図４の第１実施例の場合と同様に、その上下の両側縁に沿って多数の係合子１０ａ，１０ｂが取り付けられ、上記上枠３５の中間位置よりも一方の側枠３３側の上枠３５Ａ内に設けたガイドレール４１Ａ（図１及び図２のガイドレール１１参照）に、該一方の側枠３３側のスクリーン１０の上端側の係合子１０ａを摺動自在に係合させ、また、上記中間位置よりも他方の側枠３４側の上枠３５Ｂ内に設けたガイドレール４１Ｂに、該他方の側枠３４側のスクリーン１０の上端側の係合子１０ａを摺動自在に係合させている。更に、両スクリーン１０の下端側の係合子１０ｂについても、上記一対の側枠３３，３４の各下端側間に配設されるガイドレール４３Ａ，４３Ｂ（スクリーンガイド）に係合させて、両スクリーン１０の上下側端をガイドさせている。
【００３５】
上記一対の側枠３３，３４の各下端側に配設されるガイドレール４３Ａ，４３Ｂは、第１実施例について図１及び図４を参照して説明したところのバリアフリータイプのガイドレール（スクリーンガイド）１３と構成及び作用が変わるところはなく、また、該ガイドレール１３に付帯するところの可動框８を平行移動させる機構等も変わるところがないので、ここでは、図１０及び図１１のガイドレール４３Ａ，４３Ｂに関連する部分に、図１及び図４のガイドレール１３の各部に付した符号を付して、それらの説明を省略する。
【００３６】
上枠３５の中間位置の両側の上記上枠３５Ａ，３５Ｂ内においては、第１実施例と同様のガイドレール４１Ａ，４１Ｂをレール支持枠４２Ａ，４２Ｂにより支持させているが、該レール支持枠４２Ａ，４２Ｂの中間位置側の先端部に、第１実施例と同様のラッチ４７Ａ，４７Ｂがそれぞれ伸縮自在に設けられている。該ラッチ４７Ａ，４７Ｂは、図６に示す第１実施例と同様に、レール支持枠内のバネ１９により伸長方向に付勢したものとするのが望ましく、また、図１０等に示している引き金５０により、図７等に示した引き金２０と同じ操作で、該バネ１９の付勢力に抗して該ラッチ４７Ａ，４７Ｂをラッチ受け支持部材４８に設けた後述のラッチ受け４９から離脱可能に形成することが望ましい。
【００３７】
また、上記レール支持枠４２は、巻取軸３６ａへのスクリーン１０の巻取りにより可動框３８が巻取りボックス３６に当接した状態（第１実施例の図５の状態）において、図８を参照して説明した第１実施例と同様に、該可動框３８に沿う方向に折曲して垂下可能になるように、上記巻取りボックス３６の上部に折曲可能に連結されている。そのため、上記周枠の一部を構成する巻取りボックス３６、それに当接する可動框３８、それらに沿う方向に折曲した上枠内のレール支持枠４２Ａまたは４２Ｂ、並びにそれらと一体化されているところの、下部のガイドレール４３Ａまたは４３Ｂを構成する部材を含む両スクリーン組立体４４を、前記取付部材３７から離脱可能な独立の構成要素とし、第１実施例と同様に、それをスクリーン装置の周枠３１に対して容易に着脱することが可能になる。
【００３８】
図１２や図１４からわかるように、上記上枠３５Ａと上枠３５Ｂとの間に連結したラッチ受け支持部材４８には、該両レール支持枠４２Ａ，４２Ｂの先端のラッチ４７Ａ，４７Ｂを係脱自在に嵌入させるラッチ受け４９が、両側のレール支持枠４２Ａ，４２Ｂ側からのラッチ４７Ａ，４７Ｂの先端の嵌入を受け入れる角孔状の受け部４９ａを有するものとして構成されている。
【００３９】
即ち、上記ラッチ４７Ａ，４７Ｂは、図６の平面図において明瞭に示しているように、平面視で左右の一半を欠落させた形態を有するものとし、本発明の第２実施例のようにスクリーン装置を両引きとする場合には、対向するラッチ４７Ａ，４７Ｂの欠落側を対面させてラッチ受け４９に嵌入させるように両ラッチ４７Ａ，４７Ｂの位置決めを行うと、両ラッチ４７Ａ，４７Ｂのラッチ受け４９を、両ラッチが嵌入できる単一の角孔状に形成することが可能になり、それだけ構成を簡単化することができる。但し、ラッチ４７Ａ，４７Ｂ及びラッチ受け４９を必ずしもこのような構成とする必要はなく、第１実施例のラッチとラッチ受けの一対を併設したものとすることもできる。
【００４０】
上述した伸縮可能なラッチ４７Ａ，４７Ｂを備えたレール支持枠４２Ａ及び４２Ｂは、図７を参照して先に説明した第１実施例の場合と同様に、ラッチを伸長できる最大限の長さでラッチ受けに嵌入させた状態である図７（ａ）と、ラッチを最小限の長さでラッチ受けに嵌入させた図７（ｂ）との間の長さ範囲内で、建物開口部の横幅よりも小さいスクリーン装置の周枠１の横幅を調整し、スクリーン装置をその建物開口部に適合させることができるものである。
【００４１】
また、上記上枠３５内のガイドレール４１Ａ，４１Ｂを支持するレール支持枠４２Ａ，４２Ｂの受け枠側の先端部に伸縮自在のラッチ４７Ａ，４７Ｂを設けているため、該ラッチ４７Ａ，４７Ｂの伸縮に応じて上枠３５の長さを伸縮させる必要があり、そのため、上枠３５の側枠３３側及び３４側の上枠の端部３５Ｃを本体部に対してスライドにより伸縮可能に形成した長さの調整機構を備えている。
【００４２】
これに対し、スクリーン装置の設置空間の高さに応じて周枠３１の上下方向寸法も調整可能にする必要があるが、上枠５の全長を上記長さの調整をした上で、側枠３３，３４とは分離された上枠３５を昇降させようとすると、一対のレール支持枠４２Ａ，４２Ｂは側枠３３，３４の上端に回転可能に連結していて昇降できないのに対し、ラッチ受け４９を上枠３５と一体化しているラッチ受け支持部材４８に固定しておくことはできず、そのため、ラッチ受け支持部材４８対向内側面に一対の縦方向ガイド４８ａを設けて、その縦方向ガイドに沿って昇降可能にガイドされるラッチ受け４９を任意高さに調整してネジその他の固定具で固定可能に形成している。
【符号の説明】
【００４３】
１      周枠
３，４    側枠
５      上枠
６      巻取りボックス
６ａ    巻取軸
７      取付部材
８      可動框
１０      スクリーン
１０ａ，１０ｂ    係合子
１１，１３    ガイドレール
１２      レール支持枠
１４      スクリーン組立体
１７      ラッチ
１８      ラッチ受け
【図１】
0006665008.tif 000002
【図２】
0006665008.tif 000003
【図３】
0006665008.tif 000004
【図４】
0006665008.tif 000005
【図５】
0006665008.tif 000006
【図６】
0006665008.tif 000007
【図７】
0006665008.tif 000008
【図８】
0006665008.tif 000009
【図９】
0006665008.tif 000010
【図１０】
0006665008.tif 000011
【図１１】
0006665008.tif 000012
【図１２】
0006665008.tif 000013
【図１３】
0006665008.tif 000014
【図１４】
0006665008.tif 000015
【図１５】
0006665008.tif 000016